(57)【要約】【課題】  耳介に取付けた状態で、耳介から外れにくいイヤーフックの提供を目的とする。【解決手段】  外耳道に挿入するイヤフォンが装着される略環状の装着部と、装着部に一体的に形成されたフック本体とを備え、フック本体は、装着部の外周面から上方に向けて延長された第一延長部と、第一延長部の上端部から下方に向けて延長された第二延長部と、第一延長部と第二延長部の間に配置されるよう第二延長部の下端部から上方へ向けて延長された第三延長部とを備え、装着部およびフック本体のうち少なくともフック本体は弾性を有するとともに、装着部およびフック本体は、略同一平面内に配置され、第一延長部と第二延長部とは、上方へ向けて凸となる上湾曲部を介して一体的に形成され、第二延長部と第三延長部とは、下向きに凸となる下湾曲部を介して一体的に形成されたイヤーフック。【選択図】  図１
2015073204.tif 000002
【特許請求の範囲】
【請求項１】
外耳道に挿入するイヤフォンが装着される略環状の装着部と、装着部に一体的に形成されたフック本体とを備え、
フック本体は、装着部の外周面から上方に向けて延長された第一延長部と、第一延長部の上端部から下方に向けて延長された第二延長部と、第一延長部と第二延長部の間に配置されるよう第二延長部の下端部から上方へ向けて延長された第三延長部とを備え、
装着部およびフック本体のうち少なくともフック本体は弾性を有するとともに、装着部およびフック本体は、略同一平面内に配置されたことを特徴とするイヤーフック。
【請求項２】
フック本体は、第一延長部と第二延長部と一体にする上方へ向けて凸となる上湾曲部と、第二延長部と第三延長部とを一体にする下向きに凸となる下湾曲部とを備えた請求項１記載のイヤーフック。
【請求項３】
上湾曲部の曲率に対して下湾曲部の曲率が大きく設定されている請求項２記載のイヤーフック。
【発明の詳細な説明】
【技術分野】
【０００１】
本発明は、イヤーセット（「ヘッドセット」とも称する）を耳介に対して装着するためのイヤーフックに関する。
【背景技術】
【０００２】
イヤーセットを耳介に取付けるためのイヤーフックとして、下記特許文献１に記載のものが提案されている。特許文献１のイヤーフックは、環状部とフック部とを備えている。環状部は、イヤーセットの一部（この場合、インナーイヤー型ヘットフォンであり、いわゆる「イヤフォン」と称される）を取付ける部分であり、フック部は、環状部と一体的に形成されるとともに、上方へ凸となるよう湾曲した形状に形成されている。そしてユーザーは、フック部を、耳介の上方から耳介の上部に係止するようにしてイヤーフック（イヤーセット）を装着する。
【先行技術文献】
【特許文献】
【０００３】
【特許文献１】特開２００８−１２５００８号公報
【発明の概要】
【発明が解決しようとする課題】
【０００４】
しかしながら、特許文献１に記載されたイヤーフックにおいて、そのフック部は耳介の上部に係止するだけであるから、例えば上下方向の振動がイヤーフック（イヤーセット）に働くと、これが耳介から外れ易いという課題がある。
【０００５】
そこで本発明は、耳介に取付けた状態で、耳介から外れにくいイヤーフックの提供を目的とする。
【課題を解決するための手段】
【０００６】
本発明のイヤーフックは、外耳道に挿入するイヤフォンが装着される略環状の装着部と、装着部に一体的に形成されたフック本体とを備え、フック本体は、装着部の外周面から上方に向けて延長された第一延長部と、第一延長部の上端部から下方に向けて延長された第二延長部と、第一延長部と第二延長部の間に配置されるよう第二延長部の下端部から上方へ向けて延長された第三延長部とを備え、装着部およびフック本体のうち少なくともフック本体は弾性を有するとともに、装着部およびフック本体は、略同一平面内に配置されたことを特徴としている。
【０００７】
上記構成において、イヤフォンを装着部に装着してイヤフォンを外耳道に挿入し、フック本体を、その第一延長部を装着部から上方に向かわせ、第二延長部を耳介の後方に位置させ、第三延長部を耳甲介側に配置させるよう耳介に装着することで、イヤフォンが外耳道に挿入された状態の装着部を弾性変形の支点としてフック本体全体が弾性変形し、フック本体の弾性復元力が、耳介に対し、同一平面に直交する方向で働いて、イヤーフックが耳介に装着される。
【０００８】
本発明のイヤーフックでは、フック本体は、第一延長部と第二延長部と一体にする上方へ向けて凸となる上湾曲部と、第二延長部と第三延長部とを一体にする下向きに凸となる下湾曲部とを備えた構成を採用できる。
【０００９】
上記構成において、イヤーフックの耳介への装着時には、イヤフォンが外耳道に挿入された状態の装着部を弾性変形の支点として、上湾曲部および下湾曲部を主に弾性変形し、このような弾性変形により、フック本体に弾性復元力が付与されることで、イヤーフックが耳介に装着される。
【００１０】
本発明のイヤーフックでは、上湾曲部の曲率に対して下湾曲部の曲率が大きく設定された構成を採用できる。この構成によれば、下湾曲部に対して上湾曲部のほうが弾性変形しやすい（上湾曲部に対して下湾曲部のほうが弾性変形しにくい）から、主として上湾曲部の弾性復元力によって、イヤーフックが耳介に装着される。
【発明の効果】
【００１１】
本発明のイヤーフックの構成によれば、イヤフォンを装着部に装着してイヤフォンを外耳道に挿入し、フック本体を、その第一延長部を装着部から上方に向かわせ、第二延長部を耳介の後方に位置させ、第三延長部を耳甲介側に配置させるよう耳介に装着することで、イヤフォンが外耳道に挿入された状態の装着部を弾性変形の支点としてフック本体全体が弾性変形し、フック本体の弾性復元力が、耳介に対し、同一平面に直交する方向で働いて、イヤーフックが耳介に装着されるから、耳介に係止するだけのイヤーフックに比べて耳介から外れにくい。
【図面の簡単な説明】
【００１２】
【図１】本発明の第一の実施形態に係るイヤーフックを耳介に装着した、後方からの斜視図である。
【図２】同イヤーフックの単体側面図である。
【図３】同イヤーフックの単体正面図である。
【図４】同イヤーフックの単体底面図である。
【図５】同イヤーフックの単体斜視図である。
【図６】同イヤーフックの装着手順を表す側面図である。
【図７】同イヤーフックの装着状態を表す後方からの線形図である。
【発明を実施するための形態】
【００１３】
以下、本発明のイヤーフックの一実施形態を、図面を参照しつつ説明する。本発明の実施形態に係るイヤーフックは、図１に示すように、イヤーセット１をユーザーの耳介２への装着を確実にするために、補助的に用いられる。なお、以下の説明において前後・左右・上下とは、イヤーフック３を装着するユーザー（人体）を基準として定義されている。
【００１４】
図２ないし図５に示すように、イヤーフック３の全体は、例えば、ポリカーボネート樹脂等の合成樹脂製であり、弾性を有している。イヤーフック３の全体は、略同一平面（以下、「同一平面」と称する）Ａにある板状に形成されている。このようなイヤーフック３は、装着部４と、フック本体５とを備える。
【００１５】
図６に示すように、装着部４は、外耳道６に挿入するイヤーセット１のイヤフォン７が装着されるよう、略環状に形成されている。この場合の略環状とは、下部を、イヤフォン７を下方から嵌合するよう、下部に嵌合用切欠８を形成した、一部切欠き形状を呈した環状である。装着部４は、イヤフォン７を装着してイヤフォン７を外耳道６に挿入した際に、ユーザーの外耳道６に左側で対向する部分となる。
【００１６】
装着部４にイヤフォン７が回動自在に装着された状態で、イヤーセット１およびイヤーフック３は、イヤフォン７の軸心７ａに対し鉛直面内での相対的な傾斜角度が調整可能となっている。
【００１７】
なお、本実施形態のイヤーフック３は、イヤフォン７を装着部４に左右何れの方向へ向けて装着するかによって、ユーザーの右の耳介、左の耳介の何れへも装着可能であり、本実施形態では左の耳介２に装着する場合で説明している。
【００１８】
フック本体５は、装着部４に一体的に形成されている。図３および図４に示すように、フック本体５は、装着部４と同一平面Ａにあって、耳介２に装着される部分である。耳介２への装着時に、フック本体５の少なくとも一部が、同一平面Ａから、同一平面Ａに直交する方向である左右方向に変位するよう弾性変形し、この弾性変形による弾性復元力で、フック本体５が耳介２に係止される（耳介２に掛けられる）ものである。
【００１９】
フック本体５は、第一延長部９、第二延長部１０、第三延長部１１、上湾曲部１２、および下湾曲部１３を備え、これら部分は全て直線状ではなく、同一平面Ａ内で湾曲した形状に形成されている。この構成により、フック本体５はクリップの機能を備えている。フック本体５における、第一延長部９、第二延長部１０、および第三延長部１１の位置関係は、第一延長部９、第三延長部１１、および第二延長部１０の順で、後方に位置するよう配置されている。なお、第一延長部９、第二延長部１０、第三延長部１１、上湾曲部１２、および下湾曲部１３の、それぞれの長手方向に直交する断面は、略矩形に形成されている。
【００２０】
具体的に、第一延長部９は、装着部４の上端部外周面から上方（斜め前上方）に向けて、一体的に延長されている。前述したように、第一延長部９は直線状ではなく、後方へ向けてわずかに凸となるよう湾曲して形成されている。
【００２１】
第二延長部１０は、第一延長部９に上湾曲部１２を介して連続して形成されており、上湾曲部１２は、第一延長部９の上端部から上方へ凸となるよう湾曲して後方へ延長されている。第二延長部１０は、上湾曲部１２の後側の下端部に連続して形成されている。前述したように、第二延長部１０は直線状ではなく、後方へ向けてわずかに凸となるよう湾曲して形成されている。
【００２２】
第三延長部１１は、第二延長部１０に下湾曲部１３を介して連続して形成されており、下湾曲部１３は、第二延長部１０の下端部から下方へ凸となるよう湾曲して前方へ延長されている。第三延長部１１は、下湾曲部１３の前側の上端部に連続して形成されている。前述したように、第三延長部１１は直線状ではなく、後方へ向けてわずかに凸となるよう湾曲して形成されている。第三延長部１１の上端１１ａは、第一延長部９の基端９ａ（装着部４との連続部）よりも上方に位置し、且つ上湾曲部１２には至らない。また、第三延長部１１の上端１１ａ側は、装着部４の上側に位置している。すなわち、第三延長部１１の上端１１ａ側および装着部４を平面視に投影すると、両者の一部どうしは前後方向で重なっている。
【００２３】
第二延長部１０と第三延長部１１とは、前後方向で対向している。上湾曲部１２および下湾曲部１３を平面視に投影すると、両者は重なっており、上湾曲部１２および下湾曲部１３の長手方向中心部は、略同一の鉛直線上に位置付けられている。下湾曲部１３は、装着部４に対して下方に位置付けられている。また、上湾曲部１２の曲率に対して下湾曲部１３の曲率が大きく設定されている。換言すれば、上湾曲部１２の湾曲は下湾曲部１３の湾曲に対して緩やかである。
【００２４】
また、第二延長部１０における上湾曲部１２との連続部分１４の強度が、上湾曲部１２、および連続部分１４以外の第二延長部１０の強度に比べて高く設定されている。この場合では、断面積を変えることで強度が高くなるよう設定されている。具体的には、連続部分１４の断面積が、上湾曲部１２、および連続部分１４以外の第二延長部１０の断面積に比べて大きく設定されている。この場合、同一平面Ａに沿う前後方向の長さを長くすることで、連続部分１４の断面積が大きく形成されている。
【００２５】
上記構成のイヤーフック３（イヤーセット１）を、左の耳介２に装着する方法の一例を説明する。図６に示すように、イヤフォン７をフック本体５の装着部４に装着してイヤフォン７を外耳道６に挿入する。この実施形態では、装着部４にイヤフォン７が回動自在に装着されて、イヤーセット１およびイヤーフック３は、イヤフォン７の軸心７ａに対し鉛直面内での傾斜角度が、相対的に調整可能となっている。この構成を利用して、イヤフォン７を外耳道６に挿入した状態で、図の仮想線で示すように、イヤーフック３をイヤフォン７の軸心７ａ回りに回動させて耳介２に対して寝かせる方向にしておく。
【００２６】
続いて、上湾曲部１２が耳介２の上側で耳介２の左側（表側）から、耳介２の右側（耳介２の裏側であり、頭部側）へ亙るように弾性変形させるとともに、第一延長部９を耳介２の前部で斜め前上方に向かわせるように、また、装着部４を弾性変形の支点とするようにして、フック本体５全体を軸心７ａ回りに耳介２の上方へ向けて回動させる。
【００２７】
このようにすることで、図６および図７に示すように、イヤーフック３において、装着部４を弾性変形の基準（弾性変形の支点）とした場合に、それ以外の部分（フック本体５の少なくとも一部）が同一平面Ａから、同一平面Ａに直交する左右方向に、弾性変形によって変位するように外れる。そして、耳介２に対して、装着部４と第三延長部１１との変位量に相当する弾性復元力が左右方向で付与されて、イヤーフック３（イヤーセット１）が耳介２に、弾性的に装着される。このように、イヤーフック３はその弾性復元力で耳介２に装着されることで、その分だけ耳介２から外れにくく、確実に装着される。
【００２８】
また、耳介２に対して左右方向の弾性復元力が付与されるのみではなく、フック本体５が耳介２に装着されると、場合によっては第三延長部１１と第二延長部１０との前後方向の距離が縮まる。そうなると、主として下湾曲部１３の弾性復元力が第三延長部１１に働き、第三延長部１１が耳甲介１５をその後側で押圧することで、下湾曲部１３の弾性復元力と、支点となっている装着部４との間で、前後方向での弾性復元力が耳介２に働いて、イヤーフック３が耳介２に装着される。
【００２９】
しかも、イヤーフック３では、上湾曲部１２の曲率に対して下湾曲部１３の曲率が大きく設定された構成を備えている。この構成によれば、下湾曲部１３に対して上湾曲部１２のほうが弾性変形しやすい（上湾曲部１２に対して下湾曲部１３のほうが弾性変形しにくい）から、上湾曲部１２の弾性復元力を主として、イヤーフック３が耳介２に装着することが可能になる。このように、上湾曲部１２および下湾曲部１３のうち、弾性変形しやすいほうの弾性復元力で、すなわち弾性が低いほうの弾性復元力でイヤーフック３が耳介２に装着されることで、ユーザーは耳介２に痛みを感じにくい。
【００３０】
本実施形態では、第二延長部１０における上湾曲部１２との連続部分１４の強度が、上湾曲部１２、および連続部分１４以外の第二延長部１０の強度に比べて高く設定されている。このため、耳介２へイヤーフック３を装着する際に、支点となる装着部４と第三延長部１１の上端１１ａとの途上に、装着部４とは異なる支点部分が存在することになる。つまり、イヤーフック３全体としては、装着部４と連続部分１４との間の第一弾性変形可能部と、連続部分１４と第三延長部１１の上端１１ａまでの間の第二弾性変形可能部とを備えることになる。このため、装着部４を弾性変形の支点とした場合、連続部分１４と第三延長部１１の上端１１ａまでの弾性変形量は、左右方向および前後方向ともに、連続部分１４が無い場合に比べて抑えられるから、連続部分１４の強度を高くしただけで、イヤーフック３全体の強度を確保できる。
【００３１】
本発明は、上記実施形態に限られるものではなく、本発明の主旨を逸脱しない範囲で種々変形が可能である。その他、各部の具体的構成についても同様である。例えば、上記実施形態では、フック本体５に、第三延長部１１の上端部に上方へ凸となるよう形成された湾曲部を介して、該湾曲部の下端から下方に向けて延長された第四延長部を備えていてもよい。また、上記実施形態では、第一延長部９と第二延長部１０は湾曲した上湾曲部１２で連続させたが、湾曲させていない直線状の連続部分で連続させてもよい。下湾曲部１３も同様に、湾曲させていない直線状の連続部分で第二延長部１０と第三延長部１１を連続させてもよい。なお、装着部４は、イヤフォン７を装着して保持できるのであれば、嵌合用切欠８を形成しない環状であってもよい。さらに、イヤーフック３はポリカーボネート樹脂製としたがこれに限定されず、耳介２に装着するのに適度な弾性を有することを条件として、他の合成樹脂であってもよい。
【符号の説明】
【００３２】
１…イヤーセット、２…耳介、３…イヤーフック、４…装着部、５…フック本体、６…外耳道、７…イヤフォン、７ａ…軸心、８…嵌合用切欠、９…第一延長部、９ａ…基端、１０…第二延長部、１１…第三延長部、１１ａ…上端、１２…上湾曲部、１３…下湾曲部、１４…連続部分、１５…耳甲介、Ａ…同一平面
【図１】
2015073204.tif 000003
【図２】
2015073204.tif 000004
【図３】
2015073204.tif 000005
【図４】
2015073204.tif 000006
【図５】
2015073204.tif 000007
【図６】
2015073204.tif 000008
【図７】
2015073204.tif 000009